(57)【要約】      （修正有）【課題】バルーン照明装置に照明装置に使用しても外管マウントが破壊されない金属蒸気放電ランプ及びそのランプを使用したバルーン照明装置を提供する。【解決手段】この金属蒸気放電ランプの外管マウントは略コの字形の支柱を有し、前記コの字形の開放側両端部を閉じるように支柱押さえが接続されており、その支柱押さえがステムの胴管及びステムネック部を挟んでいることで前記外管マウントが外管に位置固定されている。【選択図】図２
2018092710.tif 000002
【特許請求の範囲】
【請求項１】
一対の電極と発光封入物を内包する発光管と、
その発光管を透光性外管内の所定の位置に支持するための外管マウントとを有する金属蒸気放電ランプにおいて、
前記外管マウントは略コの字形の支柱を有し、
前記コの字形の支柱の開放側両端部を閉じるように複数の支柱押さえが接続されており、
前記複数の支柱押さえのうち少なくとも一つはステム胴管を挟んでおり、他の支柱押さえのうち少なくとも一つはステムピンチ部を挟んでいることで前記外管マウントが前記外管の内部に位置固定されている金属蒸気放電ランプ。
【請求項２】
請求項１に記載された金属蒸気放電ランプにおいて、前記発光管は石英ガラス製であり、定格出力は４５０Ｗ以上の高ワットランプである金属蒸気放電ランプ。
【請求項３】
支持部の上側に透光性を略全体に備えた光拡散性のバルーンを設け、
そのバルーンの内側に光源を収容し、
前記光源を前記支持部に固定し、ポールを介して所定高さに保持するバルーン照明装置であって、
前記光源は一対の電極と発光封入物を内包する発光管と、その発光管を透光性外管内の所定の位置に支持するための外管マウントとを有する金属蒸気放電ランプであり、
前記外管マウントは略コの字形の支柱を有し、
前記コの字形の支柱の開放側両端部を閉じるように複数の支柱押さえが接続されており、
前記複数の支柱押さえのうち少なくとも一つはステム胴管を挟んでおり、他の支柱押さえのうち少なくとも一つはステムピンチ部を挟んでいることで前記外管マウントが前記外管に位置固定されているバルーン照明装置。
【請求項４】
請求項３に記載されたバルーン照明装置において、
前記ポールの下端部に連結した基台部と
前記バルーンの光源に通電可能な電気供給手段と
前記基台部を保持する台車とを備えたバルーン照明装置。 
【発明の詳細な説明】
【技術分野】
【０００１】
本発明は、工事現場などで使用されるバルーン照明装置に関する。更に具体的には、バルーン照明装置に内装されて各地の現場へ移送される際に破壊されて不点等の不具合を生じにくいバルーン照明用金属蒸気放電ランプに関する。
【背景技術】
【０００２】
バルーン照明装置は、工事現場やイベント会場など、一時的に照明が必要な場所に持ち運び、現地で点灯される照明である。従来、比較的軽量でありながら大出力の光を放射できる金属蒸気放電ランプがバルーン照明装置の光源として使用されてきた。例えば特許文献１に記載されているバルーン照明装置は、台車の上に発電機と伸縮支柱の上端に取り付けられた金属蒸気放電ランプを搭載し、金属蒸気放電ランプの周囲にバルーンを設けることで柔らかな光を投光するものであり、台車の上に点灯に必要な構成部材がすべて載っているため移動が容易である。また特許文献２には枠無しバルーン内部に空気を送って膨らませているバルーン照明装置が開示されている。特許文献３にはさらにバルーンが強風で変形しても中央部の金属蒸気放電ランプに接触しないよう、金属蒸気放電ランプとバルーンとの間に保護枠を設けたバルーン照明装置が開示されている。
【先行技術文献】
【特許文献】
【０００３】
【特許文献１】ＷＯ  ２００２−０９５２８８号公報
【特許文献２】特開２００３−３６７０９号公報
【特許文献３】特開２００４−２２８０５３号公報
【発明の概要】
【発明が解決しようとする課題】
【０００４】
上記の先行技術には、金属蒸気放電ランプ自体の改善については記載が無い。通常の一般照明用金属蒸気放電ランプを使用している。一般照明用金属蒸気放電ランプであっても、振動試験及び衝撃試験に合格した仕様の製品が販売されているため、ほとんど問題は生じていない。しかし、大照度が求められる比較的大きなバルーン照明装置において、大電力の金属蒸気放電ランプが取り付けられていると、一般照明用としては想定外の振動・衝撃荷重を受けて発光管の支持部が破損され、不点灯などの不具合が生じることがある。そこで本発明の目的は、バルーン照明装置に使用できる金属蒸気放電ランプを提供することである。
【課題を解決するための手段】
【０００５】
上記目的に鑑みて、本発明に係る金属蒸気放電ランプは、一対の電極と発光封入物を内包する発光管と、その発光管を透光性外管内の所定の位置に支持するための外管マウントとを有する金属蒸気放電ランプにおいて、前記外管マウントは略コの字形の支柱を有し、前記略コの字形の支柱の開放側両端部を閉じるように複数の支柱押さえが接続されており、前記複数の支柱押さえのうち少なくとも一つはステム胴管を挟んでおり、他の支柱押さえのうち少なくとも一つはステムピンチ部を挟んでいることで前記外管マウントが前記外管内部に位置固定されている金属蒸気放電ランプである。
【発明の効果】
【０００６】
本発明によれば、移動時の激しい振動に耐え、発光管が外管マウントの所定位置からずれることの無いバルーン照明用金属蒸気放電ランプを提供することができる。また上記の金属蒸気放電ランプを採用することにより、長期にわたって搬入、搬出などで移動を繰り返しながらも故障が少なく安全に使用できるバルーン照明装置を提供することができる。
【図面の簡単な説明】
【０００７】
【図１】図１は、本実施形態に係るバルーン照明装置を示す概略図である。
【図２】図２は、本実施形態に係る金属蒸気放電ランプの外管マウント構造を示す正面図である。
【図３】図３は、本実施形態に係る金属蒸気放電ランプの外管マウント構造を示す側面図である。
【発明を実施するための形態】
【０００８】
以下、本発明に係るバルーン照明装置の実施形態に付いて、添附の図面を参照しながら詳細に説明する。なお、図中、同じ要素に対しては同じ符号を付与して、重複した説明を省略する。なお、本実施形態は、本発明を説明するための例示であって、本発明の範囲を何等限定するものではないことを承知されたい。
【０００９】
図１は、本実施形態に係るバルーン照明装置を示す概略図であるが、この図だけでは本実施形態の特徴は見えていない。１はバルーン照明装置の光源であり、バルーンの内側に収容され、ポール（上ポール１０３Ａ及び下ポール１０３Ｂ）を介して所定高さに保持されている。光源１は金属蒸気放電ランプである。本発明に係る金属蒸気放電ランプは従来の一般照明用金属蒸気放電ランプと取付互換性を有し、従来使用されていたバルーンの中に本発明に係る金属蒸気放電ランプを使用することも可能である。
【００１０】
なお、金属蒸気放電ランプは高圧水銀ランプ、高圧ナトリウムランプ、メタルハライドランプ、セラミックメタルハライドランプの総称であり、本発明はどの種類の金属蒸気放電ランプにも適用可能である。
【００１１】
１０１はバルーンであり、通常光拡散性の材質で作られている。１０２は電球支持部であり、上部には光源１を取り付けるソケットを有する。上ポール１０３Ａと下ポール１０３Ｂとを組み合わせることで伸縮性のポールが形成される。本実施形態のバルーン照明装置を移動する際には上ポール１０３Ａのほぼ全体が下ポール１０３Ｂの内部に収納されることでバルーン照明装置の全長を短くできる。本実施形態では伸縮性のポールは２段であるが、３段以上に分かれていてもよい。
【００１２】
本実施形態の基台部１０４は、一方にポール１０３Ｂが連結されると共に、他方には３本の支持脚１０４Ａ、１０４Ｂ、１０４Ｃが取り付けられており、地面に設置してバルーン照明装置を使用することができる。支持脚の代わりに車輪を有する台車に基台部１０４を載せてもよい。
【００１３】
また図示しないバッテリーや発電機などの電源を基台部と同じ台車に積むこともできる。
【００１４】
図２及び図３には、本実施形態に係る金属蒸気放電ランプの一例を示す。金属蒸気放電ランプの大部分は外管２の内面に蛍光体膜または拡散膜が設けられ、発光管からの光を拡散することで光源を直視した時のまぶしさを軽減できる仕様となっている。しかし図２及び図３においては、外管内部の構造を説明するため、透明な外管を有する仕様の金属蒸気放電ランプを記載している。バルーン照明装置では、バルーン１０１自体に光拡散性の膜が使用されることが多く、光源は透明な外管を有する仕様の金属蒸気放電ランプを使用していることも多い。
【００１５】
本発明は、定格電力が比較的高い高ワット型の金属蒸気放電ランプに対して特に有効であり、例えば、定格電力が４５０〜２０００Ｗの金属蒸気放電ランプに適している。ここでは、本発明に係わる高輝度放電ランプの実施形態として、定格電力１ｋＷで点灯されるメタルハライドランプの例を説明する。本実施形態によるメタルハライドランプ１は、外管２と、その開口端部を密閉するように設けられたステム４と、それを覆う口金３とを有する。外管２の内部は、真空排気されてもよいが、不活性ガスが充填されてもよい。外管内部の排気及びまたは不活性ガス充填は、ステム４の開口端部を密閉する前にステム排気口４Ａを通して行われる。外管２の内部に、石英ガラス製の発光管１１が配置されている。発光管１１は、中央の発光部と、その両側のピンチシール部を有する。発光部の内部空間には不活性ガス、水銀、発光物質等が密封されている。発光管１１は、更に、１対の主電極１１Ａ、１１Ｂと補助電極１１Ｃを有する。これらの電極の先端は発光管１１の発光部内部空間に配置されている。本実施形態においては、ステム内接線４Ｅから給電線Ｂ１４および給電線Ｃ１５を経て主電極１１Ａに給電される、他方の主電極１１Ｂへはステム内接線４Ｄから給電線Ａ１３を経て給電される。補助電極１１Ｃへはステム内接線４Ｅから給電線Ｂ１４およびバイメタル１６、始動抵抗１７等を経て給電される。すなわち通電時には主電極１１Ａと１１Ｂとは常に異電位であり、主電極１１Ａと補助電極１１Ｃとは同電位となる。
【００１６】
発光管１１の両側のピンチシール部は、それぞれ発光管支持部材１２Ａ、１２Ｂによって、略コの字形の支柱６に位置固定されている。支柱６は、発光管１１を支持する支持機能を有する。支柱６には外管２のネック部に接触するネック側支持板８と、外管２のトップ側に接触するトップ側支持板９とが設けられ、これらの働きで発光管１１の中心軸が外管２の中心軸と略一致する位置で発光管を支持している。
【００１７】
ステム４と発光管１１の間には始動装置が設けられている。本実施例では、始動装置は始動抵抗１７やバイメタル１６等を含む。始動抵抗１７は、発光管の補助電極１１Ｃに接続され、主電極１１Ｂから補助電極１１Ｃへ流れる電流を制御する。バイメタルユニットは、通常点灯時に補助電極１１Ｃへ流れる電流を切断する。
【００１８】
発光管１１の発光部両端部には、さらに保温膜１１Ｄ及び保温膜１１Ｅが塗布されている。これらの保温膜は発光管１１の点灯中に発光管１１内部で発光物質が液状に滞留する部分を保温するために用いられる。もしも必ず口金３を下にして点灯させる仕様の金属蒸気放電ランプであれば、図２及び図３において発光管１１の上側となる保温膜１１Ｅは不要である。しかし実用的には発光管１１の両側に保温膜を設け、口金３を上にしても下にしても使用可能な仕様とすることが多い。
【００１９】
また水銀灯用安定器で点灯させる内部始動器付のメタルハライドランプ又は高圧ナトリウムランプでは、外管２内に始動装置として非線形強誘電性セラミックコンデンサ（ＦＥＣ）、バイメタル、抵抗器、等の始動装置を含むが、ここではその詳細な説明は省略する。本発明に係わる高輝度放電ランプは、外管２内に始動装置を備えるか否かに限定されるものではなく、金属蒸気放電ランプ全体に適用可能である。
【００２０】
本実施形態のメタルハライドランプ１には、ステム胴管４Ｂに胴部支柱押さえ７Ａが取り付けられ、ステムピンチ部４Ｃにピンチ部支柱押さえ７Ｂが取り付けられている。これら２種の支柱押さえは、それぞれ帯状の金属板を２枚使って取付部を挟む形でステムに巻き付けられ、それぞれ両端部が支柱６に溶接されることで位置固定されている。
【００２１】
これらの支柱押さえは、それぞれが取り付けられるステムのガラス表面に対して極力隙間が小さくなるような形状に加工されると共に適度な締め付け力を加えた状態で溶接固定されるのが通常ではあるが、ガラスに強い締め付け力を加えて金属板を溶接するとガラスが割れる危険が大きくなるため、固定後の支柱押さえとステムとの間には隙間が空いていることが多い。
【００２２】
従来のメタルハライドランプでは、高ワットランプであっても支柱押さえがステム胴管部に巻きつけられたものかステムピンチ部に巻きつけられたもののいずれか一方のみであり、本発明のような多重押さえ構造のメタルハライドランプは存在しなかった。
【００２３】
本発明のメタルハライドランプは、図２または図３における左右方向（それぞれＸ方向、Ｙ方向とする）の振動に対して、支柱の傾きを抑える能力が従来品の数倍となる。これは図２において胴部支柱押さえ７Ａの下端からピンチ部支柱押さえ７Ｂの上端まで一体となった大きな支柱押さえ部材と同等の効果があるためである。
【００２４】
また、胴部支柱押さえ７Ａのみを有する従来のメタルハライドランプでは、支柱６がステム胴管４Ｂを図２の高さ方向（Ｚ方向とする）にずれる場合にはそのずれをほとんど抑止できない。一方ピンチ部支柱押さえ７Ｂのみを有する従来のメタルハライドランプでは、支柱６がＺ方向にずれる場合には、ピンチ部支柱押さえ７Ｂの上下端がそれぞれステムピンチ部４Ｃの上下境界に当たるため、十分な抑止能力を有するが、Ｘ方向及びＹ方向のゆれに対しては、平行にピンチ部を挟みつけている金属板の隙間が拡がりやすく、ゆれが長時間または多数回続くと支柱の振れが大きくなってしまう。これは平行に固定した２枚の金属板の間にマイナス・ドライバーを差し込んで揺らすと、金属板の間隔が次第に広くなるのと同じ原理である。
【００２５】
本実施形態のメタルハライドランプ１においては、ピンチ部支柱押さえ７Ｂによって支柱６のＺ方向の振れを抑制すると同時に、胴部支柱押さえ７Ａとピンチ部支柱押さえ７Ｂとが支柱６のＺ方向に距離をおいて配置されていることで支柱６のＸＹ方向の振れも抑制することが可能となっている。
【００２６】
なお、上述した実施形態は、あくまでも本発明の一態様の例示であり、本発明の要旨の範囲において任意に変形、及び応用が可能である。
【符号の説明】
【００２７】
１：光源（メタルハライドランプ）、１０１：バルーン、１０２：電球支持部、
１０３Ａ：上ポール、１０３Ｂ：下ポール、１０４：基台部、
１０４Ａ〜１０４Ｃ：支持脚、２：外管、３：口金、４：ステム、
４Ａ：ステム排気口、４Ｂ：ステム胴管、４Ｃ：ステムピンチ部、
４Ｄ〜４Ｅ：ステム内接線、５：外管マウント、６：支柱、
７Ａ：胴部ピンチ部支柱押さえ：ピンチ部支柱押さえ、８：ネック側支持板、９：トップ側支持板、
１１：発光管、１１Ａ：電極、１１Ｂ：電極、１１Ｃ：補助電極、
１１Ｄ〜１１Ｅ：保温膜、１２Ａ：発光管押さえ、１２Ｂ：発光管押さえ、
１３：給電線Ａ、１４：給電線Ｂ、１５：給電線Ｃ、１６：バイメタル、
１７：始動抵抗、１８：遮熱板 
【図１】
2018092710.tif 000003
【図２】
2018092710.tif 000004
【図３】
2018092710.tif 000005